(57)【特許請求の範囲】
【請求項１】
遊技機を熱収縮性プラスチックフィルムで包装し、該プラスチックフィルムを加熱して熱収縮させ、遊技機を密封するように梱包する遊技機用梱包装置であって、
遊技機に形成されている開閉自在になる接合部の隙間に、前記プラスチックフィルムの一部を差し込むフィルム差込手段を備え、
前記プラスチックフィルムを加熱し、包装したプラスチックフィルムの一部が遊技機に差し込まれた状態で熱収縮させるように構成した、ことを特徴とする遊技機用梱包装置。
【請求項２】
前記プラスチックフィルムは、その一部が遊技機に差し込まれた後で加熱されるように構成した、ことを特徴とする請求項１の遊技機用梱包装置。
【請求項３】
前記プラスチックフィルムは、その一部が遊技機に差し込まれながら加熱されるように構成した、ことを特徴とする請求項１の遊技機用梱包装置。
【請求項４】
前記遊技機に形成されている接合部は、遊技機主部と遊技機前面ユニットとの接合箇所である、ことを特徴とする請求項１，２又は３の遊技機用梱包装置。
【請求項５】
前記遊技機に形成されている接合部は、外枠と遊技機主部の枠との接合箇所である、ことを特徴とする請求項１，２又は３の遊技機用梱包装置。
【請求項６】
前記フィルム差込手段は、前記遊技機に形成されている接合部に気体を噴射してプラスチックフィルムを差し込むように構成された気体噴射装置である、ことを特徴とする請求項１、２，３，４又は５の遊技機用梱包装置。
【請求項７】
前記フィルム差込手段は、前記気体噴射装置に複数の噴射口を直線状に配置した、ことを特徴とする請求項６の遊技機用梱包装置。
【請求項８】
前記フィルム差込手段は、前記遊技機に形成されている接合部に板状部材によりプラスチックフィルムを差し込むように構成された装置である、ことを特徴とする請求項１、２，３，４又は５の遊技機用梱包装置。
【請求項９】
前記フィルム差込手段は、前記遊技機に形成されている接合部の近傍から押し当て、ずらしながらこの接合部に差し込めるように、前記板状部材がその面方向に揺動自在に構成された、ことを特徴とする請求項８の遊技機用梱包装置。
【請求項１０】
前記フィルム差込手段は、前記遊技機に形成されている接合部に、湾曲させたワイヤー状部材でプラスチックフィルムを差し込むように構成された装置である、ことを特徴とする請求項１、２，３，４又は５の遊技機用梱包装置。
【発明の詳細な説明】
【技術分野】
【０００１】
本発明は、パチンコ機、スロットマシン等の遊技機を梱包する遊技機用梱包装置に関する。
【背景技術】
【０００２】
従来、パチンコ機、スロットマシン等の遊技機の製造ラインにおいては、製造された遊技機の本体枠、基板ボックス、ＲＯＭ等に、各種遊技機管理団体の検査を受けたことを示す情報や各種管理団体が付した管理番号等が記載されたラベルである証紙等の識別情報を貼付した後、不正改造防止のため遊技機全体をプラスチックフィルムの袋に密封するように包装している。最近ではプラスチックフィルムに密封する際にシュリンク包装が利用されている。このシュリンク包装は、遊技機に汚れの付着、埃の侵入防止と共に、傷が付かないようにするためである。
【０００３】
このシュリンク包装は、熱収縮性プラスチックフィルムで遊技機等の商品をラフに包み、シュリンクトンネルなどの加熱装置によりフィルムを商品の形状に収縮させる包装方法である。遊技機等の製品を包装するシュリンク包装については、例えば特許文献１の特開２００３−２３１５６８号の「包装材及び包装構造」が提案されている。
シュリンク包装により密封するように袋詰めされた遊技機は、ダンボール箱に詰められ、その後出荷される。
【先行技術文献】
【特許文献】
【０００４】
【特許文献１】特開２００３−２３１５６８号公報
【発明の概要】
【発明が解決しようとする課題】
【０００５】
しかし、このようにシュリンク包装された遊技機であっても、このプラスチックフィルムを遊技機から抜き取り、遊技機に不正改造を施し、その後このプラスチックフィルムを被せるという不正が行われやすいという問題を有していた。
【０００６】
本発明は、上述した問題点等を解決するために創案されたものである。すなわち、本発明の目的は、遊技機にシュリンク包装されたプラスチックフィルムを容易には抜き取りづらくしてその後の不正改造を防止できる遊技機用包装装置を提供することにある。
【課題を解決するための手段】
【０００７】
本発明は、遊技機を熱収縮性プラスチックフィルムで包装し、該プラスチックフィルムを加熱して熱収縮させ、遊技機を密封するように梱包する遊技機用梱包装置であって、遊技機に形成されている開閉自在になる接合部の隙間に、前記プラスチックフィルムの一部を差し込むフィルム差込手段を備え、前記プラスチックフィルムを加熱し、包装したプラスチックフィルムの一部が遊技機に差し込まれた状態で熱収縮させるように構成した、ことを特徴とする。
【発明の効果】
【０００８】
上記構成の発明では、加熱してプラスチックフィルムを熱収縮させる前に、フィルム差込手段によりプラスチックフィルムの一部を遊技機に形成されている接合部の隙間に差し込んでいるので、そのままプラスチックフィルムの一部が隙間に差し込まれた状態で熱収縮される。プラスチックフィルムの熱収縮後には、その接合部を完全に閉止することにより、この部分のプラスチックフィルムは強固に挟み込まれた状態になる。シュリンク包装のプラスチックフィルムを不正に抜き取ることを防止することができる。
【図面の簡単な説明】
【０００９】
【図１】遊技機用の識別情報読取検査装置によるダンボール箱に梱包された遊技機の検査状態を示す概略説明斜視図である。
【図２】プラスチックフィルムに密封された遊技機をダンボール箱に梱包する状態を示す概略斜視図である。
【図３】実施例１の遊技機用の識別情報読取検査装置を示す概略構成図である。
【図４】撮像部と噴射部の拡大斜視図である。
【図５】噴射部を用いてプラスチックフィルムを平坦にする状態を示す拡大断面図であり、（ａ）は圧縮空気の噴射前の状態、（ｂ）は圧縮空気の噴射中の状態である。
【図６】複数の噴射ノズルを備えた変形例１の噴射部を示す拡大正面図である。
【図７】複数の噴射ノズルを備えた変形例１の噴射部を示す拡大側面図である。
【図８】環状のスリットを開けた変形例２の環状噴射部を示す拡大正面図である。
【図９】環状のスリットを開けた変形例２の環状噴射部を示す拡大側面図である。
【図１０】噴射ノズルが撮像方向中心線から広がる方向へ傾斜した変形例３の噴射部を示す拡大正面図である。
【図１１】噴射ノズルが撮像方向中心線から広がる方向へ傾斜した変形例３の噴射部を示す拡大正面図である。
【図１２】噴射ノズルが撮像方向中心線から背中合わせに傾斜した変形例４の噴射部を示す拡大正面図である。
【図１３】噴射ノズルが撮像方向中心線から背中合わせに傾斜した変形例４の噴射部を示す拡大側面図である。
【図１４】噴射ノズルを撮像部（レンズ）の周囲で回転するように構成した変形例５の噴射部を示す拡大側面図である。
【図１５】噴射ノズルが撮像部（レンズ）の周囲で回転するように構成した変形例５の噴射部を示す拡大正面図である。
【図１６】撮像部に吸引部を備えた実施例２の識別情報読取検査装置を示す拡大側面図である。
【図１７】撮像部に吸引部を備えた実施例２の識別情報読取検査装置を示す拡大正面図である。
【図１８】実施例２の吸引部を用いてプラスチックフィルムをレンズの間近で平坦にしている状態を示す拡大断面図であり、（ａ）は吸引前の状態、（ｂ）は吸引中の状態である。
【図１９】吸引部が撮像部のレンズ、フィルター又はフードの面領域より引っ込んだ状態に配置した変形例１の吸引部を示す拡大側面図である。
【図２０】実施例３の遊技機用梱包装置を示す概略構成図である。
【図２１】実施例３の遊技機用梱包装置の作業工程を示す概略工程図である。
【図２２】実施例３の遊技機用梱包装置を構成するフィルム差込手段である気体噴射装置を示す正面図である。
【図２３】実施例３の遊技機用梱包装置の気体噴射装置を用いて遊技機をプラスチックフィルムでシュリンク梱包する状態を示す説明図あり、（ａ）は気体噴射した状態の平面図、（ｂ）は加熱している状態の平面図、（ｃ）は熱収縮した状態の平面図、（ｄ）は遊技機を施錠した状態の平面図、（ｅ）は接合部の拡大図である。
【図２４】気体噴射装置の変形例１を示す正面図である。
【図２５】気体噴射装置の変形例２を示す正面図である。
【図２６】板状部材から成るフィルム差込手段の変形例３を示し、（ａ）は正面図、（ｂ）は平面図である。
【図２７】板状部材がその面方向に揺動自在になるフィルム差込手段の変形例４を示す正面図である。
【図２８】ワイヤー状部材から成るフィルム差込手段の変形例５を示し、（ａ）は正面図、（ｂ）は平面図である。
【図２９】ワイヤー状部材が支持板の進退方向に変形自在になるワイヤー状フィルム差込装置の変形例６を示す断面図である。
【実施例１】
【００１０】
図１は遊技機用の識別情報読取検査装置１によるダンボール箱６に梱包された遊技機２の検査状態を示す概略説明斜視図である。図２はプラスチックフィルム５で密封された遊技機２をダンボール箱６に梱包する状態を示す概略斜視図である。
本発明の遊技機用の識別情報読取検査装置１は、製造ラインから送られてくる完成品の遊技機２を検査する際に利用する装置である。例えば、遊技機２には、その遊技盤３の右下の位置に機械番号及び機種名等が判別できる証紙４やマトリックス型二次元コード等の識別情報が貼付される。その後、遊技機２は、基板等の不正改造の防止と共に、埃が付着しないようにビニール袋等のプラスチックフィルム５に詰め込まれる。このプラスチックフィルム５で密封された状態で、遊技機２は略立方体形状のダンボール箱６に梱包される。
【００１１】
一般的に、遊技機２に検査済みを意味する証紙４が貼付されると共に、ダンボール箱６の表面には出荷票２１が貼付される。この出荷票２１は、遊技機２の機種名、製造番号、納品先（搬送先）等の出荷情報が印刷されている。この出荷票２１についても、本発明の識別情報読取検査装置１で自動的に読取検査される。
【００１２】
このダンボール箱６に梱包された遊技機２は、その状態でローラ７上で搬送されながら、ダンボール箱６の表面に貼付された出荷票２１と、遊技機２に貼付された証紙４やマトリックス型二次元コード等の識別情報が読み取られる。このときは、ダンボール箱６内部の遊技機２に貼付された証紙４等については、ダンボール箱６に開けられた小窓８から内部の遊技機２に貼付された証紙４等が、ガラス板９を透過して識別情報読取検査装置１により自動的に読取検査される。または、遊技機主部１０のハンドル近くに開けられた検査窓１１を透過して、遊技盤３に貼付された証紙４等については、識別情報読取検査装置１により自動的に読取検査される。
【００１３】
＜識別情報読取検査装置１の概略構成＞
図３は実施例１の遊技機用の識別情報読取検査装置１を示す概略構成図である。図４は撮像部１２と噴射部１４の拡大斜視図である。
実施例１の遊技機用の識別情報読取検査装置１は、遊技機２に貼付された証紙４やマトリックス型二次元コード等の識別情報を撮像する撮像部１２と、遊技機２を梱包しているプラスチックフィルム５に、圧縮空気等の気体を噴射する噴射ノズル１３を有する噴射部１４と、撮像部１２により撮像した画像から、証紙４等の識別情報に係る所定の情報を読み取る画像処理部１５と、この画像処理部１５により画像処理した情報を保存又は加工するコンピュータシステム１６を備えた検査装置である。
【００１４】
＜撮像部１２の構成＞
撮像部１２は、図４に示すように、ＣＣＤカメラ、ＣＭＯＳカメラのような撮像装置である。読みとった画像データは画像処理部１５において処理される。撮像部１２はダンボール箱６の表面に貼付された出荷票２１を撮像する。次にダンボール箱６内の遊技機２に貼付された証紙４等を撮像し、送出されたデータからコンピュータシステム１６により、証紙４、出荷票２１、定格シール又はマトリックス型二次元コード等の識別情報の貼付がなされているか否かの確認を行う。これと同時に、この証紙４、出荷票２１等の識別情報に記載してある機械番号と、定格シールに記載してある機種名とを読み取る。なお、ダンボール箱６の表面の撮像と、その内部の撮像の順番はこれに限定されない。
【００１５】
撮像部１２は、図１に示すように、ダンボール箱６の表面に貼付された出荷票２１と、遊技機２に貼付された証紙４及び定格シールの読み取りが可能な位置に設置される。図示例では、ダンボール箱６に開けられた小窓８の位置にレンズ１７が向けられる高さ位置に撮像部１２を設置した状態を示している。
この撮像部１２は１か所に限定されず、複数か所に設置することができる。また、図示例では、ダンボール箱６の一面側に設置されているが、ダンボール箱６の両面即ちローラ７を挟むようにそれぞれ設置することも可能である。
【００１６】
＜噴射部１４の構成＞
実施例１の識別情報読取検査装置１は、撮像部１２に隣接して噴射部１４を備えている。噴射部１４は小さい孔の噴射ノズル１３を有し、この噴射ノズル１３から気体として圧縮空気を噴射させる。圧縮空気は例えばコンプレッサ１８から供給する。ボンベから噴射させることも可能である。図示例では、噴射部１４の噴射ノズル１３を、撮像部１２のレンズ１７に隣接した状態で取り付けた。これは、遊技機２を梱包しているダンボール箱６に開けられた小窓８が小さい場合でも、この小窓８から圧縮空気をプラスチックフィルム５に容易に噴射してプラスチックフィルム５を平坦状又は遊技機２に密着した状態にするためである。
因みに、ダンボール箱６の表面に貼付された出荷票２１を撮像する際は、プラスチックフィルム５は無いので、この噴射部１４を使用する必要はない。
【００１７】
＜噴射部１４の使用状態＞
図５は噴射部１４を用いて平坦にする状態を示す拡大断面図であり、（ａ）は圧縮空気の噴射前の状態、（ｂ）は圧縮空気の噴射中の状態である。
実施例１の識別情報読取検査装置１は、遊技機２に貼付されている証紙４等の識別情報を読み取り検査する際に、図５（ａ）のように、皺又は折れ曲がって鮮明な撮像の邪魔をしているプラスチックフィルム５に、噴射部１４から圧縮空気を噴射する。このときプラスチックフィルム５は、図５（ｂ）のように遊技機２のガラス板９に押し当てられる。プラスチックフィルム５は皺、折り目が伸びて平坦状又は遊技機２に密着した状態になり、ガラス板９の内側に貼付されている証紙４等の識別情報を撮像部１２で鮮明に撮像することができる。
なお、証紙４等の識別情報が、遊技盤３ではなく、外側のガラス板９の表側に貼付されているときも、噴射させた圧縮空気によりプラスチックフィルム５は証紙４等に押し当てられ平坦状又は遊技機２に密着した状態になるので、この証紙４等を撮像部１２で鮮明に撮像することができる。
【００１８】
また、証紙４等がガラス板９以外の遊技機主部１０の表側に貼付されているときも、噴射させた圧縮空気がプラスチックフィルム５を証紙４等に押し当て皺、折り目を伸ばして平坦状又は密着した状態にして、この証紙４等を撮像部１２で鮮明に撮像することができる。
更に、プラスチックフィルム５５の表面に、静電気により付着した埃等も容易に除去することもできるため、撮像部１２による誤読を防止することができる。
【００１９】
実施例１の識別情報読取検査装置１について、遊技機２を梱包しているダンボール箱６に開けられた小窓８からも圧縮空気を噴射して、ダンボール箱６内部の遊技機２に貼付された証紙４等を撮像することについて説明した。プラスチックフィルム５に密封するように袋詰めされているが、ダンボール箱６に梱包されていない場合であっても、それに貼付されている証紙４を撮像して読取検査できることは勿論である。
【００２０】
なお、噴射部１４からの圧縮空気の噴射は、撮像部１２の撮像の際の一瞬でよい。長い時間噴射すると、ダンボール箱６内部に噴射された空気は、ダンボール箱６に開けられた持ち手掛け穴２２から排出される程度である（図1、図２参照）。ダンボール箱６の中で圧縮空気の流通が妨げられると却って、プラスチックフィルム５を波打たせるおそれがあるからである。
【００２１】
＜画像処理部１５とコンピュータシステム１６＞
画像処理部１５は、撮像部１２からの画像情報から証紙４、出荷票２１等の情報の読み取りをすると共に、その前提として証紙４、出荷票２１の有無を判定し、その判定結果は、コンピュータシステム１６に出力する。
【００２２】
コンピュータシステム１６は、撮像部１２から入力されたデータと予め保有していたデータの相互の整合性を調査し、証紙４、出荷票２１、定格シール等において印刷ミスや機種間違え等がないか検査を行う。
また、証紙４と定格シールの少なくともいずれかが貼付されていない場合や、データ相互の整合性がない場合には、エラー表示を行う。また、コンピュータシステム１６は、読み取った機械番号に基づき、その機械番号に対応する台情報、すなわち、納入先、納入台数、機種名、機械番号の各情報を検索する。その結果、ダンボール箱６の表面に貼られた出荷票２１の情報内容と、ダンボール箱６内の遊技機２に貼付された証紙４等の情報内容とが照合される。
【００２３】
＜噴射部１４の変形例１＞
図６は複数の噴射ノズル１３を備えた変形例１の噴射部１４を示す拡大正面図である。図７は複数の噴射ノズル１３を備えた変形例１の噴射部１４を示す拡大側面図である。
１個の撮像部１２には、必ずしも１個の噴射部１４のみを備える必要はなく、撮像部１２の周囲に、複数の噴射ノズル１３を取り付けることができる。なお、変形例１の噴射部１４は、１個の撮像部１２に４個の噴射部１４を取り付けた状態を示しているが、この数値に限定されないことは勿論である。
【００２４】
プラスチックフィルム５で密封するように袋詰めされている遊技機２は、ハンドルのような突出部分や、遊技機２上部のスピーカのある膨出部分といった凹凸がある。その袋詰めしているプラスチックフィルム５に大きな折り目や多数の皺が生じやすい。このようなプラスチックフィルム５の折り目、皺により撮像部１２が証紙４を鮮明に撮像できないことがある。そこで、変形例１の噴射部１４は撮像部１２の周囲に取り付けた複数の噴射部１４の複数の噴射ノズル１３から圧縮空気を、証紙等の周囲に向けてプラスチックフィルム５に効率よく当て、このプラスチックフィルム５を広げるように平坦にすることができる。例えば、プラスチックフィルム５の折り目を広げるように圧縮空気を当てることができる。
【００２５】
＜環状噴射部３１の変形例２＞
図８は環状のスリット３２を開けた変形例２の環状噴射部３１を示す拡大正面図である。図９は環状のスリット３２を開けた変形例２の環状噴射部３１を示す拡大側面図である。
変形例２の環状噴射部３１は、その環状噴射ノズル（スリット３２）を撮像部１２のレンズ１７の周囲の形状に合わせた形状にした。図示例では、撮像部１２のレンズ１７が円形状になるので、これに合わせた環状噴射ノズル（スリット３２）、即ち環状のスリットを形成した構成である。なお、レンズの周囲が略四角形状のときは、略四角形状のスリットを形成する。
【００２６】
この変形例２の環状噴射部３１の環状噴射ノズル（スリット３２）の構成では、撮像部１２の周囲からリング状に圧縮空気を噴射させ、圧縮空気を広範囲に噴射させることができる。そこで、プラスチックフィルム５の多数の皺を伸ばして平坦にすることができ、更にプラスチックフィルム５の折り目も広げるように平坦にすることができる。またはプラスチックフィルム５を遊技機２に密着させることができる。
【００２７】
図示例では、撮像部１２のレンズ１７の周囲に環状のスリットを開けた環状噴射ノズル３２を示している。この変形例２の環状噴射部３１は、完全に繋がった状態でスリットを環状に開けているが、このような構成に限定されない。例えば、複数の円弧状のスリットを環状に配置したものでもよい（図示していない）。更に、この環状のスリットに代えて、多数の噴射ノズルを円形状に配置した構成でもよい（図示していない）。
【００２８】
＜噴射部１４の変形例３＞
図１０は噴射ノズル１３が撮像方向中心線ＣＬから広がる方向へ傾斜した変形例３の噴射部１４を示す拡大正面図である。図１１は噴射ノズル１３が撮像方向中心線ＣＬから広がる方向へ傾斜した変形例３の噴射部１４を示す拡大正面図である。
変形例３の噴射部１４は、撮像部１２の撮像方向を撮像中心線ＣＬとして、この撮像中心線ＣＬから先方へ行くに従い広がる方向へ向けて噴射ノズル１３をそれぞれ配置した。図示例では、１個の撮像部１２に２個の噴射部１４を取り付けた状態を示しているが、４個を取り付けることも可能である。また、撮像中心線ＣＬに対して、５度の角度で噴射ノズル１３を傾斜配置している。この５度の角度に限定されないことは勿論である。
【００２９】
この変形例３の噴射部１４のように、撮像部１２の撮像中心線ＣＬから広がる方向へ傾斜させた状態に２個の噴射ノズル１３を取り付けた構成では、撮像部１２の撮像方向ＣＬから広がる方向へ傾斜させた方向へ圧縮空気を噴射させることにより、プラスチックフィルム５の多数の皺を伸ばして平坦にすることができ、更にプラスチックフィルム５の折り目も広げるように平坦にすることができる。
【００３０】
＜噴射部１４の変形例４＞
図１２は噴射ノズル１３が撮像方向中心線ＣＬから背中合わせに傾斜した変形例４の噴射部１４を示す拡大正面図である。図１３は噴射ノズル１３が撮像方向中心線ＣＬから背中合わせに傾斜した変形例４の噴射部１４を示す拡大側面図である。
変形例４の噴射部１４は、撮像部１２の撮像方向を中心線ＣＬとして、２個の噴射ノズル１３を撮像中心線ＣＬでそれぞれ反対方向へ向けて配置したものである。図示例では、中心線ＣＬに対して、５度の角度で噴射ノズル１３を傾斜配置している。この５度の角度に限定されないことは勿論である。また、１個の撮像部１２に２個の噴射部１４を取り付けた状態を示しているが、４個を取り付けることも可能である。
【００３１】
この変形例４の噴射部１４のように、撮像部１２に２個の噴射ノズル１３を取り付けた構成でも、撮像部１２の撮像中心線ＣＬでそれぞれ反対方向へ傾斜させた方向へ圧縮空気を噴射させることにより、プラスチックフィルム５の多数の皺を伸ばして平坦にすることができ、更にプラスチックフィルム５の折り目も広げるように平坦にすることができる。
【００３２】
＜噴射部１４の変形例５＞
図１４は噴射ノズル１３を撮像部１２（レンズ１７）の周囲で回転するように構成した変形例５の噴射部１４を示す拡大側面図である。図１５は噴射ノズル１３が撮像部１２（レンズ１７）の周囲で回転するように構成した変形例５の噴射部１４を示す拡大正面図である。
この変形例５では撮像部１２の胴部４１に円筒形状の回転体４２を回転自在に取り付け、この回転体４２の周囲に複数の噴射部１４を配置したものである。この回転体４２はモータ、圧縮空気等の駆動器で回転させる方法、又は各噴射部１４の噴射方向を撮像中心線ＣＬ方向に対して傾斜させることで、噴射の際にその反作用で自動的に回転する方法のいずれでもよい。
また図示例では、撮像部１２の周囲に２個の噴射ノズル１３を配置したものであるが、この２個に限定されないことは勿論である。
【００３３】
この変形例５の回転体４２で回転する噴射部１４の構成では、撮像部１２の周囲に広範囲に圧縮空気を噴射させ、圧縮空気を広範囲に噴射させることができる。そこで、プラスチックフィルム５の多数の皺を伸ばして平坦にすることができ、更にプラスチックフィルム５の折り目も広げるように平坦にすることができる。
【実施例２】
【００３４】
図１６は撮像部１２に吸引部５２を備えた実施例２の識別情報読取検査装置１を示す拡大側面図である。図１７は撮像部１２に吸引部５２を備えた実施例２の識別情報読取検査装置１を示す拡大正面図である。図１８は実施例２の吸引部５２を用いてプラスチックフィルム５をレンズ１７の間近で平坦にしている状態を示す拡大断面図であり、（ａ）は吸引前の状態、（ｂ）は吸引中の状態である。
＜吸引部５２の構成＞
実施例２の識別情報読取検査装置１は、実施例１の噴射部１４等に代えて、吸引口５１を有する吸引部５２を備えている。吸引部５２は最低２カ所は必要で、撮像部１２を挟むように取り付ける。この吸引部５２をプラスチックフィルム５に近づけ空気を吸引すると、プラスチックフィルム５の数カ所を引っ張ることにより、プラスチックフィルム５を撮像部１２のレンズ１７、フィルター又はフードに密着させることができる。このプラスチックフィルム５は撮像部１２のレンズ１７の間近においてプラスチックフィルム５が平坦になるので、この撮像部１２で証紙４等を鮮明に撮像することができる。
【００３５】
実施例２の識別情報読取検査装置１は、遊技機２に貼付されている証紙４等の識別情報を読み取り検査する際に、図１８（ａ）のように、皺又は折れ曲がって鮮明な撮像の邪魔をしているプラスチックフィルム５を吸引部５２で撮像部１２側に密着させる。このときプラスチックフィルム５は、図１８（ｂ）のように撮像部１２のレンズ１７、フィルタ又はフードに張り付けられ、皺、折り目が伸びて平坦状になり、証紙４等の識別情報を撮像部１２で鮮明に撮像することができる。このとき吸引部５２の吸引は、プラスチックフィルム５を伸ばすことができる程度の弱い吸引力でよい。
【００３６】
実施例２のような構成であれば、空気の吸引によるので、証紙４位置のプラスチックフィルム５のみを吸い付けることができる。この吸引部５２は図１６、図１７に示すように、２カ所に限定されず、撮像部１２のレンズ１７を囲むように４カ所取り付けることができる。また、撮像部１２のレンズ１７の周囲に環状のスリット状の吸引を開けた吸引部５２にすることができる。更に、複数の円弧状のスリットを環状に配置した吸引部５２にすることができる。何れも撮像部１２を挟むように取り付ければよい。
【００３７】
＜吸引部５２の変形例１＞
図１９は吸引部５２が撮像部１２のレンズ１７、フィルター又はフードの面領域より引っ込んだ状態（図示例では右側）に配置した変形例１の吸引部５２を示す拡大側面図である。
吸引部５２は、必ずしも撮像部１２のレンズ１７、フィルター又はフードの面領域と同じ面に配置する必要はなく（図１６参照）、実施例２では、プラスチックフィルム５をレンズ１７、フィルター又はフードの面で平坦になるようにプラスチックフィルム５の周囲が引っ張られる状態にすればよい。そこで、変形例１の吸引部５２は、吸引部５２が撮像部１２のレンズ１７、フィルター又はフードの面領域より引っ込んだ状態に配置した（図示例では右側）。このように構成することで、撮像部１２のレンズ１７、フィルター又はフードに当たるプラスチックフィルム５を撮像部１２の後方へ引っ張るように吸引部５２が引くので、この引っ張られるプラスチックフィルム５が平坦になりやすくなる。
【実施例３】
【００３８】
図２０は実施例３の遊技機用梱包装置を示す概略構成図である。図２１は実施例３の遊技機用梱包装置の作業工程を示す概略工程図である。
本発明の実施例３は、製造ラインから送られてくる完成品の遊技機２をプラスチックフィルム５でシュリンク包装する遊技機用梱包装置である。この遊技機用梱包装置は、遊技機２に熱収縮性プラスチックフィルム５を包装し、このプラスチックフィルム５の一部が遊技機２の隙間ｃ１、ｃ２に差し込まれた状態で、プラスチックフィルム５全体を加熱して熱収縮させ、遊技機２を密封するように梱包する装置である。
【００３９】
＜フィルム差込手段（気体噴射装置１１１）の構成＞
図２２は実施例３の遊技機用梱包装置を構成するフィルム差込手段である気体噴射装置１１１を示す正面図である。
本発明の遊技機用梱包装置には、遊技機２に形成されている開閉自在になる接合部の隙間ｃ１、ｃ２にプラスチックフィルム５の一部を差し込むフィルム差込手段としての気体噴射装置１１１を備えている。この気体噴射装置１１１は、噴射ノズル１１２から例えば圧縮空気を噴射する装置である。この圧縮空気は、遊技機２に形成されている接合部ｃ１、ｃ２、例えば遊技機前面ユニット６１と遊技機主部１０の枠との接合箇所に噴射する。このときは、遊技機前面ユニット６１と遊技機主部１０の枠とは施錠せずに少し隙間を開けておく（図２３（ａ）参照）。この隙間は広く開けるとプラスチックフィルム５の一部を容易に差し込むことができる。
【００４０】
ここで、熱収縮性プラスチックフィルム５としては、Ｐ.Ｖ.Ｃ（ポリ塩化ビニル
）、Ｐ.Ｅ（ポリエチレン）、Ｐ.Ｏ（ポリオレフィン）、Ｐ．Ｐ（ポリプロピレン）、Ｐ.Ｓ（ポリスチレン）及びＰ.Ｅ.Ｔ（ポリエチレンテレフタレート）などを用いる。プラスチックフィルム５は熱収縮性の性質を有する素材のものであれば、これらの素材のものに限定されない。
【００４１】
このような熱収縮性プラスチックフィルム５から成る袋を遊技機２に包装する際には種々の方法による。例えば、熱収縮性プラスチックフィルム５を用いて既に袋として形成されているものを遊技機２に被せるように包装する方式と、１枚のプラスチックフィルム５を遊技機２に巻き付け、袋状に周囲をシールし、余分な個所を溶断する方式などがある。更に、遊技機２にプラスチックフィルム５を包装する構成であればこれらの方式に限定されないことは勿論である。
【００４２】
プラスチックフィルム５を遊技機２に包装する際には、遊技機前面ユニット６１と遊技機主部１０の枠との隙間（接合部ｃ１）を施錠せずに開けておく必要がある。または遊技機主部１０と外枠６２と隙間（接合部ｃ２）を施錠せずに開けておく必要がある。包装した後に、これらの隙間を開ける作業は煩雑になりやすいからである。
【００４３】
加熱手段としては、図示していないが、シュリンクトンネルといった、トンネル内の上部に遠赤外線ヒーターとこの熱を遊技機２に当てるファンとを備え、このトンネルの下部に遊技機２を移動させるベルトコンベアを備えた装置がある。この遠赤外線を利用した加熱手段は従来の電熱式やスチーム式に比べ、遊技機２に熱による悪影響を及ぼしづらい。勿論、加熱手段はシュリンクトンネルの構成に限定されず、遊技機２の周囲に熱風を噴射する方式等でもよい。
【００４４】
図示例では、遊技機前面ユニット６１と遊技機主部１０の枠との接合箇所の隙間ｃ１にプラスチックフィルムの一部を差し込む状態を示しているが、遊技機２には更に遊技機主部１０と外枠６２にも接合箇所があるので、この接合部の隙間ｃ２にプラスチックフィルム５の一部を差し込むことも可能である。気体噴射装置１１１によれば、熱収縮前のフレキシブルなプラスチックフィルム５を、その噴射空気により、遊技機２に形成されている接合部の隙間ｃ１、ｃ２に差し込むことができる。
【００４５】
気体噴射装置１１１では圧縮空気を用いるので、遊技機前面ユニット６１と遊技機主部１０の枠との接合部の隙間ｃ１、又は遊技機主部１０と外枠６２との接合部の隙間ｃ２の何れにも対応することができる。何れか１か所又は両方の２か所に挟み込むことができる。また、噴射する気体は空気に限定されず、二酸化炭素ガス、その他ガスを用いることも可能である。
【００４６】
＜気体噴射装置１１１による差込動作状態＞
図２３は実施例３の遊技機用梱包装置の気体噴射装置１１１を用いて遊技機２をプラスチックフィルム５でシュリンク梱包する状態を示す説明図あり、（ａ）は気体噴射した状態の平面図、（ｂ）は加熱している状態の平面図、（ｃ）は熱収縮した状態の平面図、（ｄ）は遊技機２を施錠した状態の平面図、（ｅ）は接合部の拡大図である。
この気体噴射装置１１１を用いて遊技機２をプラスチックフィルム５でシュリンク梱包する状態を説明する。先ず、図２３（ａ）に示すように、遊技機２に熱収縮性プラスチックフィルム５の袋を包装する。このプラスチックフィルム５の袋は遊技機２の外形より大きい。このプラスチックフィルムの余分な部分に気体噴射装置１１１を用いて圧縮空気を噴射する。この噴射場所は遊技機前面ユニット６１と遊技機主部１０の枠との接合部の隙間ｃ１に噴射する。これでプラスチックフィルム５はこの隙間ｃ１に差し込まれる。なお、このときは単に押し込んだだけなので、その後施錠しても、容易に抜き取ることができる。
【００４７】
この噴射した状態で、図２３（ｂ）に示すように、加熱装置を用いてプラスチックフィルム５の袋を熱収縮させる。このとき接合部の隙間ｃ１に位置するプラスチックフィルム５を噴射した状態で熱収縮されるので、図２３（ｃ）に示すように、そのまま隙間ｃ１内で熱収縮する。
【００４８】
最後に、図２３（ｄ）に示すように、遊技機前面ユニット６１と遊技機主部１０の枠との接合部を閉止して施錠すると、プラスチックフィルム５はこの隙間ｃ１に強固に挟まれたままの状態になる。このようにプラスチックフィルム５の熱収縮後には、その接合部を完全に閉止することにより、図２３（ｅ）に示すように、プラスチックフィルム５は強固に挟み込まれた状態になる。この状態で出荷されれば、シュリンク包装のプラスチックフィルム５を不正に抜き取ろうとしても、このプラスチックフィルム５は遊技機２の隙間ｃ１、ｃ２に強固に挟まれているので抜き取ることを防止することができる。
なお、プラスチックフィルム５は、その一部が遊技機２に差し込まれた後で加熱することも可能である。
【００４９】
＜気体噴射装置１１１の変形例１＞
図２４は気体噴射装置１１１の変形例１を示す正面図である。
気体噴射装置１１１の変形例１は、単に小さい孔からなる噴射ノズル１１２に代えて、細いスリット状に形成した幅広噴射口１１３にした。このように幅広噴射口１１３を用いることで、プラスチックフィルム５を接合部の隙間ｃ１、ｃ２に広範囲に差し込むことが可能である。特に、噴射力を高めることにより、プラスチックフィルム５を接合部の隙間ｃ１、ｃ２に深く差し込むことが可能になる。
【００５０】
＜気体噴射装置１１１の変形例２＞
図２５は気体噴射装置１１１の変形例２を示す正面図である。
気体噴射装置１１１の変形例２は、複数の噴射ノズル１１２を直線状に配置した。このように気体噴射装置１１１に複数の噴射ノズル１１２を直線状に配置したことで、プラスチックフィルム５を広範囲でも狭い範囲でも接合部の隙間ｃ１、ｃ２に差し込むことが可能になる。即ち、複数の噴射ノズル１１２から圧縮空気を噴射させれば、プラスチックフィルム５を接合部の隙間ｃ１、ｃ２に広範囲に差し込むことができる。逆に、複数の噴射ノズル１１２全部を使用することなく、特定の噴射ノズル１１２のみから圧縮空気を噴射させれば、プラスチックフィルム５を接合部の隙間ｃ１、ｃ２に狭い範囲にも差し込むことができる。
【００５１】
＜フィルム差込手段（板状フィルム差込装置１２２）の変形例３＞
図２６は板状部材１２１から成るフィルム差込手段の変形例３を示し、（ａ）は正面図、（ｂ）は平面図である。
フィルム差込手段の変形例３は、板状部材１２１により成る板状フィルム差込装置１２２である。この板状フィルム差込装置１２２は、支持板１２３に薄い板状部材１２１を取り付けたものである。この板状部材１２１はある程度の弾力性を有する薄い板状の部材である。この板状部材１２１は例えばプラスチック製の板材で、その角には丸み（Ｒ）を付けて、プラスチックフィルム５を破損しないようになっている。板状フィルム差込装置１２２によれば、熱収縮前のフレキシブルなプラスチックフィルム５を、板状部材１２１が遊技機２に形成された接合部の隙間ｃ１、ｃ２に確実に差し込むことができる。例えば、支持板１２３を進退自在になる機構と組み合わせ、赤外線センサにより進出距離を計測しながら作業するようにする。
【００５２】
板状部材１２１の差し込む間隔を調節することにより、プラスチックフィルム５の接合部ｃ１、ｃ２の隙間ｃ１、ｃ２における挟み込む深さを容易に調節することが可能である。また、板状部材自体の寸法を調節することにより、プラスチックフィルム５を広範囲でも狭い範囲でも容易に調節することができる。
【００５３】
＜フィルム差込手段（板状フィルム差込装置１２２）の変形例４＞
図２７は板状部材１２１がその面方向に揺動自在になるフィルム差込手段の変形例４を示す正面図である。
フィルム差込手段の変形例４は、遊技機２に形成された接合部ｃ１、ｃ２の近傍から押し当て、ずらしながらこの接合部の隙間ｃ１、ｃ２に差し込むように、板状部材１２１がその面方向に揺動自在に構成された板状フィルム差込装置１２２である。この板状フィルム差込装置１２２は例えば板状部材１２１と支持板１２３とを金属又はプラスチック製の板バネ１２４で連結したものである。この板バネ１２４により板状部材１２１がその面方向に揺動するようになり、遊技機２に形成された接合部の隙間ｃ１、ｃ２の近傍から押し当てずらしながらこの接合部ｃ１、ｃ２に差し込むことができる。なお、板状部材１２１を揺動自在に支持する部材は、板バネ１２４に限定されず、コイルバネ又は板状部材１２１自体が可撓性を有する素材で形成したものでも良い。
【００５４】
＜フィルム差込手段（ワイヤー状フィルム差込装置１３２）の変形例５＞
図２８はワイヤー状部材１３１から成るフィルム差込手段の変形例５を示し、（ａ）は正面図、（ｂ）は平面図である。
フィルム差込手段の変形例５は、遊技機２に形成された接合部ｃ１、ｃ２に略半円形状に湾曲させたワイヤー状部材１３１でプラスチックフィルム５を差し込むように構成されたワイヤー状フィルム差込装置１３２である。このワイヤー状部材１３１は、例えばピアノ線のような金属であって、弾力性を有し、またプラスチックフィルム５を損傷しない程度の変形しやすい素材のものがよい。ワイヤー状フィルム差込装置１３２によれば、熱収縮前のフレキシブルなプラスチックフィルム５を、ワイヤー状部材１３１が遊技機２に形成された接合部の隙間ｃ１、ｃ２に確実に差し込むことができる。ワイヤー状部材１３１は弾力性を有するので、何らかの障害物に当たっても、変形し少しのずれで適正な位置に容易に復帰させやすい。なお、金属製に限定されず、プラスチック製の素材でも勿論よい。
【００５５】
図示例では、１個の半円形状に湾曲させたワイヤー状部材１３１を支持板１３３に取り付けた状態を示しているが、２個を取り付けることも可能である。図示していないが、３個、４個と取り付けることも可能である。
【００５６】
この変形例５のワイヤー状フィルム差込装置１３２は、このワイヤー状部材１３１についても、その差し込む間隔を変えることにより、プラスチックフィルム５の接合部の隙間ｃ１、ｃ２における挟み込む深さを容易に調節することができる。また、ワイヤー状部材１３１の大きさ又は取り付け個数を変えることにより、プラスチックフィルム５を広範囲でも狭い範囲でも容易に調節することができる。
【００５７】
ワイヤー状フィルム差込装置１３２は、略半円形状に曲げたワイヤー状部材は可撓性を有するので、その面方向に揺動自在になる。そこで、このワイヤー状フィルム差込装置１３２は、遊技機２に形成された接合部ｃ１、ｃ２の近傍から押し当てずらしながらこの接合部に容易に差し込むことができる。
【００５８】
＜ワイヤー状フィルム差込装置１３２の変形例６＞
図２９はワイヤー状部材１３１が支持板１３３の進退方向に変形自在になるワイヤー状フィルム差込装置１３２の変形例６を示す断面図である。
ワイヤー状フィルム差込装置１３２の変形例６は、略半円形状に曲げたワイヤー状部材１３１の一方の基端部は支持板１３３に設けた溝１３４の一端に固定し、ワイヤー状部材１３１の他方の基端部は溝１３４の他端において固定せず、この溝１３４内を移動可能に構成する。このように構成することで、ワイヤー状部材１３１が遊技機２に押し当てられ、接合部ｃ１、ｃ２の隙間に入らなかったときに、その動きをある程度吸収することができ、遊技機２の破損、プラスチックフィルム５の破断又はワイヤー状フィルム差込装置１３２の破損を防止することができる。
【００５９】
なお、上述した実施の形態の記載内容に限定されず、例えば次のように実施してもよい。
上記実施の形態では、本発明の識別情報読取検査装置による読取検査の対象になる遊技機として、例えば図柄表示装置を備えたパチンコ機に対して本発明を利用できるが、それ以外のタイプのパチンコ機に利用してもよい。例えば、遊技球転動部や有利口などが設けられた入賞役物装置を備えたパチンコ機や、他の役物を備えたパチンコ機、アレンジボール機、雀球等の遊技機にも、本発明を利用できる。また、受け皿として上皿及び下皿が設けられているのではなく、単一の受け皿が設けられたパチンコ機にも、本発明を利用できる。即ち、機械番号及び機種名等が判別できる証紙やマトリックス型二次元コード等の識別情報が貼付されたパチンコ機が本発明の利用対象になる。
【００６０】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【００６１】
遊技機用の識別情報読取検査装置Ａ
本発明は、パチンコ機、スロットマシン等の遊技機の製造後、更に梱包後において遊技機等に貼付された証紙、出荷票、その他の貼付又は印刷された識別情報を読み取り検査する遊技機用の識別情報読取検査装置に関する。
【００６２】
従来、パチンコ機、スロットマシン等の遊技機の製造ラインにおいては、製造された遊技機の本体枠、基板ボックス、ＲＯＭ等に、各種遊技機管理団体の検査を受けたことを示す情報や各種管理団体が付した管理番号等が記載されたラベルである証紙等の識別情報を貼付した後、不正改造防止のため遊技機全体をビニール袋に密封するように包装されている。遊技機に関する製品の発送を管理する発送管理システムについて、例えば特許文献２の特開２００３−９３６２３号の「発送管理システム」が提案されている。
【００６３】
ダンボール箱に詰められた遊技機の証紙の文字、番号、マトリックス型二次元コード等の識別情報については、ＣＣＤカメラ、ＣＭＯＳカメラ等で読み取っている。遊技機は汚れ、埃の侵入を防止すると共に、傷が付かないようにビニール袋、その他の透明なプラスチックフィルムに、遊技機全体を密封するように袋詰めされている。
【００６４】
【特許文献２】特開２００３−９３６２３号公報
【００６５】
しかし、このビニール袋等の透明なプラスチックフィルムが皺になっていたり、折り目が付いている場合が多く、証紙の文字、番号、マトリックス型二次元コード等の識別情報を正確に読み取ることができないことがあった。また、証紙等の識別情報の面に対してＣＣＤカメラ等の撮像装置の撮像方向に対してプラスチックフィルムが傾斜した状態にあると、光が反射して証紙等の識別情報の文字、番号が読みづらくなることがあった。
【００６６】
本発明は、上述した問題点等を解決するために創案されたものである。すなわち、本発明の目的は、透明なプラスチックフィルムに梱包された状態の証紙等の識別情報の文字、番号を正確に読み取ることができる遊技機用の識別情報読取検査装置を提供することにある。
【００６７】
遊技機用の識別情報読取検査装置Ａ１は、透明なプラスチックフィルムに包装されている遊技機に付された証紙、マトリックス型二次元コードのような識別情報を、読み取り検査する遊技機用の識別情報読取検査装置であって、
前記遊技機に付された識別情報を撮像する撮像部と、
前記遊技機を梱包している前記プラスチックフィルムに、気体を噴射させる噴射ノズルを有する噴射部と、
前記撮像部により撮像した画像から、前記識別情報の所定の情報を読み取る画像処理部と、を備え、
検査のために前記識別情報を撮像する際に、前記プラスチックフィルムにおける該識別情報を被覆している位置に前記噴射部から気体を噴射して該プラスチックフィルムを前記識別情報側に当て該識別情報を前記撮像部により撮像し易く構成した、ことを特徴とする遊技機用の識別情報読取検査装置。
【００６８】
遊技機用の識別情報読取検査装置Ａ１では、プラスチックフィルムに密封するように袋詰めされている遊技機に付されている証紙、マトリックス型二次元コード等の識別情報を読み取り検査する際に、噴射部から噴射させた気体が、このプラスチックフィルムを遊技機のガラス板又は証紙等の識別情報そのものに押し当て平坦状に、又は遊技機に密着させることにより、ガラス板の内側又は外側、遊技機の表面等に付されている識別情報を撮像部で鮮明に撮像することができる。
更に、プラスチックフィルムの表面に、静電気により付着した埃等も容易に除去することもできるため、撮像部による誤読を防止することができる。
【００６９】
噴射部から気体をプラスチックフィルムに当て、このプラスチックフィルムを平坦状に、又は遊技機に密着させて、証紙等の識別情報を撮像部で撮像する構成であるために、遊技機を梱包しているダンボール箱に開けられた小窓からも気体を噴射して、ダンボール箱内部の遊技機に付された証紙等の識別情報を容易に撮像することができる。
【００７０】
遊技機用の識別情報読取検査装置Ａ２は、前記撮像部の周囲に、複数の噴射ノズルを有する噴射部を備えた、ことを特徴とする識別情報読取検査装置Ａ１の遊技機用の識別情報読取検査装置。
遊技機全体をプラスチックフィルムに密封するように袋詰めされている場合、ハンドルのような突出部分や、遊技機上部のスピーカのある膨出部分といった凹凸がある遊技機では、袋詰めしているプラスチックフィルム５に大きな折り目や多数の皺が生じやすい。このようなプラスチックフィルムの折り目、皺により撮像部が証紙を鮮明に撮像できないことがある。
そこで、遊技機用の識別情報読取検査装置Ａ２では、撮像部の周囲に取り付けた複数の噴射部の複数の噴射ノズルから圧縮空気を、証紙等の周囲に向けてプラスチックフィルムに効率よく当て、このプラスチックフィルムを広げるように平坦にすることができる。例えば、プラスチックフィルムの折り目を広げるように圧縮空気を当てることができる。
【００７１】
遊技機用の識別情報読取検査装置Ａ３は、前記噴射部の噴射ノズルは、前記撮像部のレンズの周囲の形状に合わせた形状に成る、ことを特徴とする識別情報読取検査装置Ａ１の遊技機用の識別情報読取検査装置。
遊技機用の識別情報読取検査装置Ａ４は、前記噴射部は、複数の噴射ノズルを前記撮像部のレンズの周囲の形状に合わせて環状に配置した、ことを特徴とする識別情報読取検査装置Ａ１の遊技機用の識別情報読取検査装置。
【００７２】
識別情報読取検査装置Ａ３、Ａ４では、撮像部のレンズの周囲の形状に合わせた環状に圧縮空気を噴射させることにより、圧縮空気を広範囲に噴射させることができる。そこで、プラスチックフィルムの多数の皺を伸ばして平坦にすることができ、更にプラスチックフィルムの折り目も広げるように平坦にすることができる。
【００７３】
遊技機用の識別情報読取検査装置５は、前記撮像部の撮像方向を中心線として、この撮像中心線から先方へ行くに従い広がる方向へ向けて前記噴射部の噴射ノズルをそれぞれ配置した、ことを特徴とする識別情報読取検査装置Ａ１又はＡ２の遊技機用の識別情報読取検査装置。
識別情報読取検査装置Ａ５では、撮像部の撮像方向から広がる方向へ傾斜させた方向へ圧縮空気を噴射させることにより、プラスチックフィルムの多数の皺を伸ばして平坦にすることができ、更にプラスチックフィルムの折り目も広げるように平坦にすることができる。
【００７４】
遊技機用の識別情報読取検査装置Ａ６は、前記撮像部の撮像方向を中心線として、前記噴射部の２個の噴射ノズルを該撮像中心線でそれぞれ反対方向へ向けて配置した、ことを特徴とする識別情報読取検査装置Ａ１又はＡ２の遊技機用の識別情報読取検査装置。
識別情報読取検査装置Ａ６では、撮像部に２個の噴射ノズルを取り付けた構成でも、撮像部の撮像中心線でそれぞれ反対方向へ傾斜させた方向へ圧縮空気を噴射させることにより、プラスチックフィルムの多数の皺を伸ばして平坦にすることができ、更にプラスチックフィルムの折り目も広げるように平坦にすることができる。
【００７５】
遊技機用の識別情報読取検査装置Ａ７は、前記撮像部の周囲で、前記噴射部の噴射ノズルを撮像中心線を回転中心にして回転させるように設けた、ことを特徴とする識別情報読取検査装置Ａ１又はＡ２の遊技機用の識別情報読取検査装置。
遊技機用の識別情報読取検査装置Ａ７では、撮像部の周囲に広範囲に気体を噴射させ、気体を広範囲に噴射させることができるので、プラスチックフィルムの多数の皺を伸ばして平坦にすることができ、更にプラスチックフィルムの折り目も広げるように平坦にすることができる。
【００７６】
遊技機用の識別情報読取検査装置Ａ８は、透明なプラスチックフィルムに包装されている遊技機に付された証紙、マトリックス型二次元コードのような識別情報を、読み取り検査する遊技機用の識別情報読取検査装置であって、
前記遊技機に付された識別情報を撮像する撮像部と、
前記遊技機を梱包している前記プラスチックフィルムを、前記撮像部側へ密着するように吸引する吸引部と、
前記撮像部により撮像した画像から、前記識別情報の所定の情報を読み取る画像処理部と、を備え、
検査のために前記識別情報を撮像する際に、前記プラスチックフィルムにおける該識別情報を被覆している位置の該プラスチックフィルムを前記吸引部で吸引して、その部分のプラスチックフィルムを前記撮像部側に密着させて該識別情報を前記撮像部により撮像し易く構成した、ことを特徴とする遊技機用の識別情報読取検査装置。
【００７７】
遊技機用の識別情報読取検査装置Ａ８では、吸引部をプラスチックフィルムに近づけ空気を吸引すると、プラスチックフィルムの数カ所を引っ張ることにより、プラスチックフィルムを撮像部のレンズ側に密着させることができる。このプラスチックフィルムは撮像部のレンズの間近において平坦になるので、この撮像部で証紙等を鮮明に撮像することができる。
【００７８】
遊技機用の識別情報読取検査装置Ａ９は、前記吸引部は、前記撮像部のレンズを挟むように長方形状の開口を有する吸引口を複数個所に取り付けた、ことを特徴とする識別情報読取検査装置Ａ８の遊技機用の識別情報読取検査装置。
遊技機用の識別情報読取検査装置Ａ１０は、前記吸引部は、前記撮像部のレンズの面領域より引っ込んだ状態に配置した、ことを特徴とする識別情報読取検査装置Ａ８又はＡ９の遊技機用の識別情報読取検査装置。
【００７９】
遊技機用梱包装置Ｂ
本発明は、パチンコ機、スロットマシン等の遊技機を梱包する遊技機用梱包装置に関する。
【００８０】
従来、パチンコ機、スロットマシン等の遊技機の製造ラインにおいては、製造された遊技機の本体枠、基板ボックス、ＲＯＭ等に、各種遊技機管理団体の検査を受けたことを示す情報や各種管理団体が付した管理番号等が記載されたラベルである証紙等の識別情報を貼付した後、不正改造防止のため遊技機全体をプラスチックフィルムの袋に密封するように包装している。最近ではプラスチックフィルムに密封する際にシュリンク包装が利用されている。このシュリンク包装は、遊技機に汚れの付着、埃の侵入防止と共に、傷が付かないようにするためである。
【００８１】
このシュリンク包装は、熱収縮性プラスチックフィルムで遊技機等の商品をラフに包み、シュリンクトンネルなどの加熱装置によりフィルムを商品の形状に収縮させる包装方法である。遊技機等の製品を包装するシュリンク包装については、例えば特許文献３の特開２００３−２３１５６８号の「包装材及び包装構造」が提案されている。
シュリンク包装により密封するように袋詰めされた遊技機は、ダンボール箱に詰められ、その後出荷される。
【００８２】
【特許文献３】特開２００３−２３１５６８号公報
【００８３】
しかし、このようにシュリンク包装された遊技機であっても、このプラスチックフィルムを遊技機から抜き取り、遊技機に不正改造を施し、その後このプラスチックフィルムを被せるという不正が行われやすいという問題を有していた。
【００８４】
本発明は、上述した問題点等を解決するために創案されたものである。すなわち、本発明の目的は、遊技機にシュリンク包装されたプラスチックフィルムを容易には抜き取りづらくしてその後の不正改造を防止できる遊技機用包装装置を提供することにある。
【００８５】
遊技機用梱包装置Ｂ１は、遊技機を熱収縮性プラスチックフィルムで包装し、該プラスチックフィルムを加熱して熱収縮させ、遊技機を密封するように梱包する遊技機用梱包装置であって、
遊技機に形成されている開閉自在になる接合部の隙間に、前記プラスチックフィルムの一部を差し込むフィルム差込手段を備え、
前記プラスチックフィルムを加熱し、包装したプラスチックフィルムの一部が遊技機に差し込まれた状態で熱収縮させるように構成した、ことを特徴とする遊技機用梱包装置。
【００８６】
遊技機用梱包装置Ｂ１では、加熱してプラスチックフィルムを熱収縮させる前に、フィルム差込手段によりプラスチックフィルムの一部を遊技機に形成されている接合部の隙間に差し込んでいるので、そのままプラスチックフィルムの一部が隙間に差し込まれた状態で熱収縮される。プラスチックフィルムの熱収縮後には、その接合部を完全に閉止することにより、この部分のプラスチックフィルムは強固に挟み込まれた状態になる。シュリンク包装のプラスチックフィルムを不正に抜き取ることを防止することができる。
【００８７】
遊技機用梱包装置Ｂ２は、前記プラスチックフィルムは、その一部が遊技機に差し込まれた後で加熱されるように構成した、ことを特徴とする遊技機用梱包装置Ｂ１の遊技機用梱包装置。
遊技機用梱包装置Ｂ３は、前記プラスチックフィルムは、その一部が遊技機に差し込まれながら加熱されるように構成した、ことを特徴とする遊技機用梱包装置Ｂ１の遊技機用梱包装置。
【００８８】
遊技機用梱包装置Ｂ４は、前記遊技機に形成されている接合部は、遊技機主部と遊技機前面ユニットとの接合箇所である、ことを特徴とする遊技機用梱包装置Ｂ１，Ｂ２又はＢ３の遊技機用梱包装置。
遊技機用梱包装置Ｂ５は、前記遊技機に形成されている接合部は、外枠と遊技機主部の枠との接合箇所である、ことを特徴とする遊技機用梱包装置Ｂ１，Ｂ２又はＢ３の遊技機用梱包装置。
【００８９】
遊技機用梱包装置Ｂ４、Ｂ５では、遊技機に形成されている接合部が、遊技機主部と遊技機前面ユニットとの接合箇所では、共に金属製であり、かつ施錠する箇所である。そこで、この隙間に差し込まれたプラスチックフィルムは強固に挟まれているので抜き取りが困難になる。同様に、外枠と遊技機主部の枠との接合箇所も、この隙間に差し込まれたプラスチックフィルムは強固に挟まれているので抜き取りが困難になる。
【００９０】
遊技機用梱包装置Ｂ６は、前記フィルム差込手段は、前記遊技機に形成されている接合部に気体を噴射してプラスチックフィルムを差し込むように構成された気体噴射装置である、ことを特徴とする遊技機用梱包装置Ｂ１、Ｂ２、Ｂ３、Ｂ４又はＢ５の遊技機用梱包装置。
遊技機用梱包装置Ｂ７は、前記フィルム差込手段は、前記気体噴射装置に複数の噴射口を直線状に配置した、ことを特徴とする遊技機用梱包装置Ｂ６の遊技機用梱包装置。
【００９１】
遊技機用梱包装置Ｂ６、Ｂ７では、気体噴射装置によれば、熱収縮前のフレキシブルなプラスチックフィルムを、その噴射気体により、遊技機に形成されている接合部の隙間に差し込むことができる。気体噴射装置の噴射口を複数設けることにより、プラスチックフィルムを広範囲に接合部の隙間に差し込むことが可能である。
気体噴射装置に複数の噴射口を直線状に設けたフィルム差込手段によれば、プラスチックフィルムを広範囲でも狭い範囲でも接合部の隙間に差し込むことが可能である。
【００９２】
遊技機用梱包装置Ｂ８は、前記フィルム差込手段は、前記遊技機に形成されている接合部に板状部材によりプラスチックフィルムを差し込むように構成された装置である、ことを特徴とする遊技機用梱包装置Ｂ１、Ｂ２、Ｂ３、Ｂ４又はＢ５の遊技機用梱包装置。
遊技機用梱包装置Ｂ９は、前記フィルム差込手段は、前記遊技機に形成されている接合部の近傍から押し当て、ずらしながらこの接合部に差し込めるように、前記板状部材がその面方向に揺動自在に構成された、ことを特徴とする遊技機用梱包装置Ｂ８の遊技機用梱包装置。
【００９３】
遊技機用梱包装置Ｂ８、Ｂ９では、板状部材からなるフィルム差込手段によれば、熱収縮前のフレキシブルなプラスチックフィルムを、板状部材が遊技機に形成されている接合部の隙間に確実に差し込むことができる。板状部材の差し込む間隔を変えることにより、プラスチックフィルムの接合部の隙間における挟み込む深さを容易に調節することができる。また、板状部材自体の寸法を変えることにより、プラスチックフィルムを広範囲でも狭い範囲でも容易に調節することができる。
板状部材がその面方向に揺動自在に構成されたフィルム差込手段によれば、遊技機に形成されている接合部の近傍から押し当てずらしながらこの接合部に容易に差し込むことができる。
【００９４】
遊技機用梱包装置Ｂ１０は、前記フィルム差込手段は、前記遊技機に形成されている接合部に、湾曲させたワイヤー状部材でプラスチックフィルムを差し込むように構成された装置である、ことを特徴とする遊技機用梱包装置Ｂ１、Ｂ２、Ｂ３，Ｂ４又はＢ５の遊技機用梱包装置。
【００９５】
遊技機用梱包装置Ｂ１０では、ワイヤー状部材からなるフィルム差込手段によれば、熱収縮前のフレキシブルなプラスチックフィルムを、ワイヤー状部材が遊技機に形成されている接合部の隙間に確実に差し込むことができる。ワイヤー状部材は可撓性を有するので、何らかの障害物に当たっても変形し、少しのずれがあっても適正な位置に復帰しやすく、プラスチックフィルムを容易に差し込むことができる。
このワイヤー状部材についても、その差し込む間隔を変えることにより、プラスチックフィルムの接合部の隙間における挟み込む深さを容易に調節することができる。また、ワイヤー状部材の大きさ又は取付個数を変えることにより、プラスチックフィルムを広範囲でも狭い範囲でも容易に調節することができる。
ワイヤー状部材はその面方向に揺動自在になるので、遊技機に形成されている接合部の近傍から押し当てずらしながらこの接合部に差し込むことができる。
【００９６】
因みに、特徴Ａ１乃至特徴Ａ１０、特徴Ｂ１乃至特徴Ｂ１０のいずれか１つ又はそれらの組み合わせを上記特徴Ａ１乃至Ａ１０に適用してもよい。
【００９７】
以下に、本発明の遊技機用の識別情報読取検査装置の読取検査対象になり得る遊技機の基本構成を示す。
【００９８】
パチンコ遊技機：遊技者が操作する操作手段（遊技球発射ハンドル）と、その操作手段の操作に基づいて遊技球を発射する遊技球発射手段（遊技球発射機構のソレノイド）と、その発射された遊技球を所定の遊技領域に導く球通路と、遊技領域内に配置された各遊技部品（釘等）とを備え、それら各遊技部品のうち所定の通過部（作動口等）を遊技球が通過した場合に遊技者に特典を付与する遊技機。
【００９９】
前記遊技機はパチンコ遊技機であることを特徴とする遊技機である。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードヘ書き込まれるデータ等も含む）が付与されるものが挙げられる。
【０１００】
前記遊技機はスロットマシンであることを特徴とする遊技機である。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１０１】
前記遊技機はパチンコ遊技機とスロットマシンとを融合させたものであることを特徴とする遊技機である。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【産業上の利用可能性】
【０１０２】
本発明の遊技機用梱包装置は、主にパチンコ機の遊技機の梱包に利用することができるが、開閉自在になる接合部が形成された遊技機であれば、パチンコ機以外の様々な遊技機、その他の機器、装置に広く利用することができる。
【符号の説明】
【０１０３】
２  遊技機
５  プラスチックフィルム
１０  遊技機主部
６１  遊技機前面ユニット
６２  外枠
１１１  気体噴射装置
１１２  噴射ノズル
１２１  板状部材
１２２  板状フィルム差込装置
１２３  支持板
１２４  板バネ
１３１  ワイヤー状材
１３２  ワイヤー状フィルム差込装置
１３３  支持板
ｃ１，ｃ２  隙間
【図１】
0006323673.tif 000002
【図２】
0006323673.tif 000003
【図３】
0006323673.tif 000004
【図４】
0006323673.tif 000005
【図５】
0006323673.tif 000006
【図６】
0006323673.tif 000007
【図７】
0006323673.tif 000008
【図８】
0006323673.tif 000009
【図９】
0006323673.tif 000010
【図１０】
0006323673.tif 000011
【図１１】
0006323673.tif 000012
【図１２】
0006323673.tif 000013
【図１３】
0006323673.tif 000014
【図１４】
0006323673.tif 000015
【図１５】
0006323673.tif 000016
【図１６】
0006323673.tif 000017
【図１７】
0006323673.tif 000018
【図１８】
0006323673.tif 000019
【図１９】
0006323673.tif 000020
【図２０】
0006323673.tif 000021
【図２１】
0006323673.tif 000022
【図２２】
0006323673.tif 000023
【図２３】
0006323673.tif 000024
【図２４】
0006323673.tif 000025
【図２５】
0006323673.tif 000026
【図２６】
0006323673.tif 000027
【図２７】
0006323673.tif 000028
【図２８】
0006323673.tif 000029
【図２９】
0006323673.tif 000030